(57)【要約】【課題】  洗面台や流し台などの箱体の昇降を簡潔構造で行うシャフト式昇降装置を提供すること。【解決手段】  本発明のシャフト式昇降装置は、洗面本体３１の内部にスライド可能に取り付けられる第１、第２の２本のシャフト１１ａ、１１ｂと、洗面本体３１の内部に固定される水平支持バーに固定され、ベルトを巻き取る巻取りローラ１４と、第１のシャフト１１ａの下端に取付けられる第１のガイドローラ１５ａと、第２のシャフト１１ｂの下端に取付けられる第２のガイドローラとを備え、巻取りローラ１４に一端が固定された一方の側のベルトが第１のガイドローラ１５ａで折返されて他端が水平支持バー３３ｂに固定され、巻取りローラ１４に一端が固定された他方の側のベルトが第２のガイドローラ１５ｂで折返されて他端が水平支持バー３３ｂに固定され、ベルトの巻き取り巻き戻しにより洗面部３２の昇降を行うこととした。【選択図】図３
2007137669.tif 000002
【特許請求の範囲】
【請求項１】
上側箱体の下面側に垂直に設けられ、前記上側箱体の下側に設置される下側箱体の内部にスライド可能に取り付けられる第１、第２の２本のシャフトと、前記下側箱体の内部に固定される水平支持バーに固定され、ベルトまたはワイヤを巻き取る巻取りローラと、前記第１のシャフトの下端に取付けられる第１のガイドローラと、前記第２のシャフトの下端に取付けられる第２のガイドローラとを備え、前記巻取りローラに一端が固定された一方の側の前記ベルトまたはワイヤが前記第１のガイドローラで折返されて他端が前記水平支持バーに固定され、前記巻取りローラに一端が固定された他方の側の前記ベルトまたはワイヤが前記第２のガイドローラで折返されて他端が前記水平支持バーに固定され、前記ベルトまたはワイヤの巻き取り巻き戻しにより前記箱体の昇降を行うことを特徴とするシャフト式昇降装置。
【請求項２】
前記第１、第２のシャフトは、スライドベアリングにより前記下側箱体の内部で前記水平支持バーにスライド可能に取り付けられることを特徴とする請求項１に記載のシャフト式昇降装置。
【請求項３】
前記シャフト式昇降装置は、前記下側箱体の両側面側にそれぞれ設けられることを特徴とする請求項１または請求項２に記載のシャフト式昇降装置。
【発明の詳細な説明】
【技術分野】
【０００１】  本発明は、洗面台や流し台などの箱体の昇降をシャフトの昇降で行う簡潔構造のシャフト式昇降装置に関する。
【背景技術】
【０００２】  従来の洗面台や流し台などの箱体には、垂直方向に設置したねじ棒をモータ駆動により回転させ箱体の上部を所望の高さまで昇降可能にする昇降装置が設置されているものがある（例えば、特許文献１参照）。【０００３】
【特許文献１】  特開平１１−７６０８０
【発明の開示】
【発明が解決しようとする課題】
【０００４】  しかしながら、洗面台や流し台などの箱体に用いられる従来の昇降装置は、垂直方向に設置したねじ棒をモータ駆動により回転させるため機構が複雑である。
本発明は、上記に鑑みてなされたものであって、洗面台や流し台などの箱体の昇降を簡潔構造で行うシャフト式昇降装置を提供することを目的とする。
【課題を解決するための手段】
【０００５】  本発明のシャフト式昇降装置は、上側箱体の下面側に垂直に設けられ、前記上側箱体の下側に設置される下側箱体の内部にスライド可能に取り付けられる第１、第２の２本のシャフトと、前記下側箱体の内部に固定される水平支持バーに固定され、ベルトまたはワイヤを巻き取る巻取りローラと、前記第１のシャフトの下端に取付けられる第１のガイドローラと、前記第２のシャフトの下端に取付けられる第２のガイドローラとを備え、前記巻取りローラに一端が固定された一方の側の前記ベルトまたはワイヤが前記第１のガイドローラで折返されて他端が前記水平支持バーに固定され、前記巻取りローラに一端が固定された他方の側の前記ベルトまたはワイヤが前記第２のガイドローラで折返されて他端が前記水平支持バーに固定され、前記ベルトまたはワイヤの巻き取り巻き戻しにより前記箱体の昇降を行うこととした。
また、前記第１、第２のシャフトは、スライドベアリングにより前記下側箱体の内部で前記水平支持バーにスライド可能に取り付けられることとした。
さらに、前記シャフト式昇降装置は、前記下側箱体の両側面側にそれぞれ設けられることとした。
【発明の効果】
【０００６】本発明のシャフト式昇降装置は、上側箱体の下面側に垂直に設けられ、前記上側箱体の下側に設置される下側箱体の内部にスライド可能に取り付けられる第１、第２の２本のシャフトと、前記下側箱体の内部に固定される水平支持バーに固定され、ベルトまたはワイヤを巻き取る巻取りローラと、前記第１のシャフトの下端に取付けられる第１のガイドローラと、前記第２のシャフトの下端に取付けられる第２のガイドローラとを備え、前記巻取りローラに一端が固定された一方の側の前記ベルトまたはワイヤが前記第１のガイドローラで折返されて他端が前記水平支持バーに固定され、前記巻取りローラに一端が固定された他方の側の前記ベルトまたはワイヤが前記第２のガイドローラで折返されて他端が前記水平支持バーに固定され、前記ベルトまたはワイヤの巻き取り巻き戻しにより前記箱体の昇降を行うこととしたため、洗面台の洗面部などの上側箱体を所望の高さの位置に簡潔構造で容易に昇降させることができる。
また、前記第１、第２のシャフトは、スライドベアリングにより前記下側箱体の内部で前記水平支持バーにスライド可能に取り付けられることとしたため、洗面台の洗面部などの上側箱体をより円滑に昇降させることができる。
さらに、前記シャフト式昇降装置は、前記下側箱体の両側面側にそれぞれ設けられることとしたため、流し台などの細長形状の箱体ものでも上側箱体をより確実に昇降させることができる。
【発明を実施するための最良の形態】
【０００７】  以下、本発明の実施の形態のシャフト式昇降装置につき図を用いて説明する。
【実施例１】
【０００８】  図１は、本発明の第１の実施の形態のシャフト式昇降装置が洗面台に設置された斜視図を示し、図１（ａ）は、洗面台の洗面部が下降しているときの斜視図を示し、図１（ｂ）は、洗面台の洗面部が上昇しているときの斜視図を示す。
図１に示すように、本発明の第１の実施の形態のシャフト式昇降装置を設置する洗面台３０は、下側箱体である洗面本体３１の上側に上側箱体である洗面部３２が設置されている。本発明の第１の実施の形態のシャフト式昇降装置１０Ａ、１０Ｂ（図２、３参照）は、洗面台３０に内装され、洗面部３２が矢印ＤＵに示すように垂直方向に昇降することができ、図１（ａ）に示す洗面部３２が下降している状況から図１（ｂ）に示す洗面部３２が上昇している状況に昇降することができ、洗面本体３１を所望の高さの位置にすることができる。また、洗面部３２が上昇したとき、洗面台３０の内部が見えないようにするために両側面と前面の隙間をふさぐコの字形の遮蔽板３９が洗面部３２の下面側に設けられている。【０００９】  図２は、本発明の第１の実施の形態のシャフト式昇降装置が洗面台に設置されたときの前面を開口した正面図を示す。
図２に示すように、洗面台３０の洗面本体３１には、本発明の第１の実施の形態のシャフト式昇降装置１０Ａ、１０Ｂが側面側に設置されている。洗面本体３１には、上下して断面が箱形の２本の水平支持バー３３ａ、３３ｂが洗面本体３１の側面と平行して設けられている。昇降装置１０Ａは、洗面本体３１に設けられた水平支持バー３３ａ、３３ｂに第１、第２のシャフト１１ａ、１１ｂがスライドベアリング１２を介して垂直方向にスライド自在に取り付けられ、第１、第２のシャフト１１ａ、１１ｂをベルト２１ａ、２１ｂにより昇降させ、洗面部３２を昇降させることができる。シャフト式昇降装置１０Ｂも同様の構成で洗面本体３１に設置され、シャフト式昇降装置１０Ａとシャフト式昇降装置１０Ｂとにより洗面部３２の昇降を行うことができる。【００１０】  図３は、本発明の第１の実施の形態のシャフト式昇降装置が洗面台に設置されたときの側面を開口した側面図を示す。洗面台３０には図２に示すようにシャフト式昇降装置１０Ａとシャフト式昇降装置１０Ｂとが設置されているが、図３では、シャフト式昇降装置１０Ａを代表として示す。
図３に示すように、洗面台３０の洗面本体３１には、上下して断面が箱形の２本の水平支持バー３３ａ、３３ｂが洗面本体３１の側面と平行して設けられ、シャフト式昇降装置１０Ａは、洗面本体３１の内部で支持バー３３ａ、３３ｂに取り付けられている。図２に示すシャフト式昇降装置１０Ｂも同様に取り付けられている。
水平支持バー３３ａ、３３ｂには、２本の第１、第２のシャフト１１ａ、１１ｂがスライドベアリング１２を介して垂直方向にスライド自在に取り付けられ、第１、第２のシャフト１１ａ、１１ｂはそれぞれ洗面部３２の下面側に設けられている。また、第１のシャフト１１ａには、下端に第１のガイドローラ１５ａがコの字形のブラケット１７ａを介して取付けられ、第２のシャフト１１ｂには、下端に第２のガイドローラ１５ｂがコの字形のブラケット１７ｂを介して取付けられている。下側の水平支持バー３３ｂにはモータユニット１３が固定され、モータユニット１３は、ＤＣモータ１３ａと、ＤＣモータ１３ａの回転数を減速しトルクを増大する減速器１３ｂとにより構成され、減速器１３ｂには巻取りローラ１４が取付けられている。ベルト２１の一方の側のベルト２１ａは、巻取りローラ１４に一端が固定され、水平支持バー３３ｂに明けられたベルト挿通穴（図示せず）を通り第１のガイドローラ１５ａで折返されて他端がベルト固定部１６ａにより水平支持バー３３ｂに固定され、ベルト２１の他方の側のベルト２１ｂは、巻取りローラ１４に一端が固定され、水平支持バー３３ｂに明けられたベルト挿通穴（図示せず）を通り第２のガイドローラ１５ｂで折返されて他端がベルト固定部１６ｂにより水平支持バー３３ｂに固定されている。【００１１】  従って、シャフト式昇降装置１０Ａは、垂直にスライド可能に取り付けられる２本の第１、第２のシャフト１１ａ、１１ｂと、モータユニット１３により回動されベルト２１を巻き取る巻取りローラ１４と、第１のシャフト１１ａの下端に取付けられる第１のガイドローラ１５ａと、第２のシャフト１１ｂの下端に取付けられる第２のガイドローラ１５ｂと、巻取りローラ１４に一端が固定され第１のガイドローラ１５ａで折返されて他方の端部が水平支持バー３３ｂに固定される一方の側のベルト２１ａと、巻取りローラ１４に一端が固定され第２のガイドローラ１５ｂで折返されて他方の端部が水平支持バー３３ｂに固定されるベルト２１ｂとで構成され、ベルト２１ａとベルト２１ｂとからなるとベルト２１の巻き取り巻き戻しにより第１、第２のシャフト１１ａ、１１ｂが昇降し、同様構造のシャフト式昇降装置１０Ｂとにより洗面部３２の昇降を行うことができる。
巻取りローラ１４は、中心を通り軸方向に形成したスリットにベルト２１を挟み固定し、ベルト２１を巻き取るようにすることもできる。【００１２】  図４は、本発明の第１の実施の形態のシャフト式昇降装置が洗面台に設置され洗面部が上昇したときの側面を開口した側面図を示す。洗面台３０には図２に示すようにシャフト式昇降装置１０Ａとシャフト式昇降装置１０Ｂとが設置されているが、図４では、シャフト式昇降装置１０Ａを代表として示す。
図４は、洗面部３２が下降しているときに、水平支持バー３３ｂの上部に取付けられたモータユニット１３により巻取りローラ１４が矢印Ｕの示すように回動され、ベルト２１ａ、２１ｂが巻取られて第１のガイドローラ１５ａと第２のガイドローラ１５ｂとが上昇し、第１、第２のシャフト１１ａ、１１ｂが上昇することにより洗面部３２が上昇したときの状況を示す。
洗面部３２の下降を行うときには、水平支持バー３３ｂの上部に取付けられたモータユニット１３により巻取りローラ１４を矢印Ｄに示すように回動し、ベルト２１ａ、２１ｂが巻き戻されて第１のガイドローラ１５ａと第２のガイドローラ１５ｂとが下降し、第１、第２のシャフト１１ａ、１１ｂが下降することにより洗面部３２を下降することができる。なお、洗面部３２が上昇したとき、遮蔽板３９により洗面本体３１と洗面部３２との隙間をふさぐことができる。【００１３】  以上述べたように、シャフト式昇降装置１０Ａは、シャフト式昇降装置１０Ａは、洗面本体３１に設けられた水平支持バー３３ａ、３３ｂに第１、第２のシャフト１１ａ、１１ｂがスライドベアリング１２を介して垂直方向にスライド自在に取り付けられ、第１、第２のシャフト１１ａ、１１ｂをベルト２１ｂにより昇降させ、同様構造のシャフト式昇降装置１０Ｂとにより洗面部３２を簡潔構造で昇降させることができる。
なお、本発明の第１の実施の形態のシャフト式昇降装置は、２個のシャフト式昇降装置１０Ａ，１０Ｂを設置することとしたが、洗面台３０の大きさと形状により、１個のシャフト式昇降装置で昇降を行うようにすることもできる。
また、第１、第２のシャフト１１ａ、１１ｂの下端の間に別途水平バーを取り付け、水平バーの中心に近づけた位置に第１、第２のガイドローラ１５ａ、を取付けるとともに、ベルト固定部１６ａ、１６ｂも中心に近づけた位置に取付け、ベルトの取付けを垂直状況に近づけ、より円滑で効率的な昇降を行うようにすることもできる。
また、本発明の第１の実施の形態のシャフト式昇降装置は、ベルト２１で昇降させるようにしたが、ワイヤ類で昇降させるようにすることもできる。
さらに、本発明の第１の実施の形態のシャフト式昇降装置では、洗面台に用いられる例につき述べたが、これに限定されることなく、その他流し台や調理台などの箱体の昇降にも使用することができる。
【図面の簡単な説明】
【００１４】
【図１】  本発明の第１の実施の形態のシャフト式昇降装置が洗面台に設置された斜視図を示し、図１（ａ）は、洗面台の洗面部が下降しているときの斜視図を示し、図１（ｂ）は、洗面台の洗面部が上昇しているときの斜視図を示す。
【図２】  本発明の第１の実施の形態のシャフト式昇降装置が洗面台に設置されたときの前面を開口した正面図を示す。
【図３】  本発明の第１の実施の形態のシャフト式昇降装置が洗面台に設置されたときの側面を開口した側面図を示す。
【図４】  本発明の第１の実施の形態のシャフト式昇降装置が洗面台に設置され洗面部が上昇したときの側面を開口した側面図を示す。
【符号の説明】
【００１５】１０Ａ、１０Ｂ  シャフト式昇降装置
１１ａ、１１ｂ  第１、第２のシャフト
１２  スライドベアリング
１５ａ  第１のガイドローラ
１５ｂ  第２のガイドローラ
１６ａ、１６ｂ  ベルト固定部
１７ａ、１７ｂ  ブラケット
１３  モータユニット
１３ａ  ＤＣモータ
１３ｂ  減速器
１４  巻取りローラ
２１  ベルト
３０  洗面台
３１  洗面本体
３３ａ、３３ｂ  水平支持バー
３２  洗面部
３９  遮蔽板
【図１】
2007137669.tif 000003
【図２】
2007137669.tif 000004
【図３】
2007137669.tif 000005
【図４】
2007137669.tif 000006